(57)【要約】　　　（修正有）【課題】音楽記号として楽譜上に表示されていない表情付けパラメータについても、楽譜上の操作によって、簡単にその種類や値を変更することができる編集装置を提供する。【解決手段】表示楽譜上で、マウスを用いてカーソルをある音符に合わせ、右ボタンをクリックすると、動作メニューが表示される。このメニューから「表情付けパラメータ設定変更」を選択すると、音楽記号として表示されている表情付け情報、すなわち「ビブラート」に関する表情付けパラメータ設定画面が表示される（（ａ））。この設定画面中、“▼”にカーソルを合わせ、左ボタンをクリックすると、他の表情付け情報が記載してあるドロップダウンリストが表示される。その中から「抑揚」を選択すると、音楽記号として表示されていない「抑揚」に関するパラメータ設定画面が表示される（（ｂ））。この設定画面から、その表示されたパラメータの種類や値を設定（変更）する。【選択図】　　図４
2004109745.tif 000002
【特許請求の範囲】
【請求項１】
複数種類の表情付け情報が付与された、少なくとも１つの音符データを含む、複数の音符データからなる楽曲データに基づいて楽譜表示する表示手段と、
該表示手段に表示された、複数の音符データのいずれかを指示するための指示手段と、
該指示手段によって指示された音符データに複数種類の表情付け情報が付与されているときには、該複数種類の表情付け情報のいずれをも、当該表情付け情報の表示態様に拘わらず、選択できる状態にし、ユーザによっていずれかの表情付け情報が選択されると、該選択された表情付け情報に関する各種パラメータを編集可能な画面を前記表示手段に表示させるように制御する制御手段と
を有することを特徴とする表情付けパラメータ編集装置。
【請求項２】
複数種類の表情付け情報が付与された、少なくとも１つの音符データを含む、複数の音符データからなる楽曲データに基づいて、表示手段上に楽譜表示する表示手順と、
該表示手段に表示された、複数の音符データのいずれかを指示するための指示手段によって指示された音符データに複数種類の表情付け情報が付与されているときには、該複数種類の表情付け情報のいずれをも、当該表情付け情報の表示態様に拘わらず、選択できる状態にし、ユーザによっていずれかの表情付け情報が選択されると、該選択された表情付け情報に関する各種パラメータを編集可能な画面を前記表示手段に表示させるように制御する制御手順と
をコンピュータに実行させるためのプログラム。
【発明の詳細な説明】
【０００１】
【発明の属する技術分野】
本発明は、表示楽譜上の音符に表情付け情報が付加されている場合に、その表情付け情報内の表情付けパラメータを楽譜上の操作で編集することができる表情付けパラメータ編集装置および表情付けパラメータ編集方法を実現するためのプログラムに関する。
【０００２】
【従来の技術】
表示楽譜上の各音符に表情付けを行うようにした演奏情報編集装置は、従来から知られている（たとえば、特許文献１参照）。
【０００３】
このような演奏情報編集装置を用いて、ある音符に複数種類の表情付けを行った場合、その表情付けの種類により、音楽記号として楽譜上に表示されるものと、表示されないものとがあった。そして、音楽記号として楽譜上に表示されているものについては、楽譜上の操作（たとえば、マウスを用いて、楽譜上に表示されているカーソルを目的の音符に合わせ、マウスの右ボタンをクリックすると、動作メニューが表示され、その中から「表情付けパラメータ設定変更」を選択するというような操作）によって、簡単に表情付けパラメータの種類や値を変更することができるように構成されている。
【０００４】
【特許文献１】
特開２０００−９９０１２号公報
【０００５】
【発明が解決しようとする課題】
しかし、上記従来の演奏情報編集装置では、音楽記号として楽譜上に表示されていない表情付け種類の表情付けパラメータについては、楽譜上の操作によって、その種類や値を変更することはできず、楽譜外の面倒な操作、たとえば、楽譜表示をいったん終了して、表情付けパラメータの編集画面を表示させ、この編集画面上で目的の表情付けパラメータの種類や値を変更するという面倒な操作を行わなければならなかった。
【０００６】
本発明は、この点に着目してなされたものであり、音楽記号として楽譜上に表示されていない表情付け種類の表情付けパラメータについても、楽譜上の操作によって、簡単にその種類や値を変更することができる表情付けパラメータ編集装置および表情付けパラメータ編集方法を実現するためのプログラムを提供することを目的とする。
【０００７】
【課題を解決するための手段】
上記目的を達成するため、請求項１に記載の表情付けパラメータ編集装置は、複数種類の表情付け情報が付与された、少なくとも１つの音符データを含む、複数の音符データからなる楽曲データに基づいて楽譜表示する表示手段と、該表示手段に表示された、複数の音符データのいずれかを指示するための指示手段と、該指示手段によって指示された音符データに複数種類の表情付け情報が付与されているときには、該複数種類の表情付け情報のいずれをも、当該表情付け情報の表示態様に拘わらず、選択できる状態にし、ユーザによっていずれかの表情付け情報が選択されると、該選択された表情付け情報に関する各種パラメータを編集可能な画面を前記表示手段に表示させるように制御する制御手段とを有することを特徴とする。
【０００８】
また、請求項２に記載のプログラムは、請求項１と同様の技術的思想によって実現できる。
【０００９】
【発明の実施の形態】
以下、本発明の実施の形態を図面に基づいて詳細に説明する。
【００１０】
図１は、本発明の一実施の形態に係る表情付けパラメータ編集装置の概略構成を示すブロック図である。
【００１１】
同図に示すように、本実施の形態の表情付けパラメータ編集装置は、文字入力用キーボード、マウス等のポインティングデバイスおよび各種スイッチ等の複数の操作子からなる操作子群１と、該操作子群１の各操作子の操作状態を検出する検出回路２と、装置全体の制御を司るＣＰＵ３と、該ＣＰＵ３が実行する制御プログラムや、各種テーブルデータ等を記憶するＲＯＭ４と、楽曲データ、各種入力情報および演算結果等を一時的に記憶するＲＡＭ５と、前記制御プログラムを含む各種アプリケーションプログラムや、各種楽曲データ、各種データ等を記憶する外部記憶装置６と、各種情報等を表示する、たとえば液晶ディスプレイ（ＬＣＤ）および発光ダイオード（ＬＥＤ）等を備えた表示装置７と、外部ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）機器１００等の外部機器を接続し、この外部機器とデータの送受信を行う通信インターフェース（Ｉ／Ｆ）８と、上記記憶された楽曲データ等を楽音信号に変換する音源回路９と、該音源回路９からの楽音信号に各種効果を付与するための効果回路１０と、該効果回路１０からの楽音信号を音響に変換する、たとえば、ＤＡＣ（Ｄｉｇｉｔａｌ−ｔｏ−Ａｎａｌｏｇ　Ｃｏｎｖｅｒｔｅｒ）やアンプ、スピーカ等のサウンドシステム１１とにより構成されている。
【００１２】
上記構成要素２〜１０は、バス１２を介して相互に接続され、通信Ｉ／Ｆ８には外部ＭＩＤＩ機器１００が接続され、音源回路９には効果回路１０が接続され、効果回路１０にはサウンドシステム１１が接続されている。
【００１３】
外部記憶装置６としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置６には、前述のように、ＣＰＵ３が実行する制御プログラムも記憶でき、ＲＯＭ４に制御プログラムが記憶されていない場合には、この外部記憶装置６に制御プログラムを記憶させておき、それをＲＡＭ５に読み込むことにより、ＲＯＭ４に制御プログラムを記憶している場合と同様の動作をＣＰＵ３にさせることができる。このようにすると、制御プログラムの追加やバージョンアップ等が容易に行える。
【００１４】
通信Ｉ／Ｆ８には、図示例では、外部ＭＩＤＩ機器１００が接続されているが、これに限られず、たとえばＬＡＮ（Ｌｏｃａｌ　Ａｒｅａ　Ｎｅｔｗｏｒｋ）やインターネット、電話回線等の通信ネットワークを介して、サーバコンピュータが接続されるようにしてもよい。この場合、外部記憶装置６に上記各プログラムや各種パラメータが記憶されていなければ、通信Ｉ／Ｆ８は、サーバコンピュータからプログラムやパラメータをダウンロードするために用いられる。クライアントとなるコンピュータ（本実施の形態では、表情付けパラメータ編集装置）は、通信Ｉ／Ｆ８および通信ネットワークを介してサーバコンピュータへとプログラムやパラメータのダウンロードを要求するコマンドを送信する。サーバコンピュータは、このコマンドを受け、要求されたプログラムやパラメータを、通信ネットワークを介してコンピュータへと配信し、コンピュータが通信Ｉ／Ｆ８を介して、これらプログラムやパラメータを受信して外部記憶装置６に蓄積することにより、ダウンロードが完了する。
【００１５】
なお、本実施の形態の表情付けパラメータ編集装置は、上述の構成から分かるように、汎用的なパーソナルコンピュータ上に構築されたものであるが、これに限らず、本発明を実施できる最小限要素のみから構成した専用装置上に構築してもよい。
【００１６】
図２は、本実施の形態の表情付けパラメータ編集装置で使用される楽曲データのフォーマットの一例を示す図であり、図３は、この楽曲データを楽譜表示したときの表示例を示す図である。
【００１７】
図２に示すように、楽曲データは、基本的には、音符イベントデータ２２ｎと、そのイベントの生成タイミングを示すタイミングデータ２１ｎとを一組とする複数組のシーケンス（ｎ＝１，２，…）によって構成されている。
【００１８】
各音符イベントデータ２２ｎは、表示用データと、演奏用データとによって構成されている。
【００１９】
演奏用データは、その音符イベントを再生したときに、前記音源回路９から楽音信号を発生させることができるデータ、具体的には、少なくとも、音高を示すデータおよび発音／消音を指示する各データ（図示せず）によって構成されている。演奏用データのフォーマットは、それを再生する装置に応じたものを採用すればよいが、通常は、ＭＩＤＩフォーマットが用いられる。
【００２０】
表示用データは、音高を示す情報と、音符の種類を示す情報と、表情付け情報とによって構成されている。なお、音符イベントデータ２２ｎによっては、表情付けがなされていないものもあり、この場合には、表情付け情報として、たとえば“ＮＵＬＬ”が設定されている。
【００２１】
音符イベントデータ２２３は、図３の音符３１に対応するので、その表示用データは、音高“Ｅ３”を示す情報と、音符の種類「２分音符」を示す情報と、表情付け情報とによって構成されている。そして、表情付け情報は、楽譜上に表示されるビブラート情報と、楽譜上に表示されない抑揚情報とによって構成されている。さらに、ビブラート情報は、図４を用いて後述する表情付けパラメータ設定画面に表示される、複数の情報によって構成されている。具体的には、表情付け情報の種類（「ビブラート」）、ビブラートを付与するときに必要な各種表情付けパラメータとその値（「周期（０．３Ｈｚ）」や「深さ（１０ｃｅｎｔ）」など）、楽譜上にビブラート記号を表示するときの位置（「音符の上」）やフォントの種類などによって構成されている。また、抑揚情報も、図示しないが、ビブラート情報と同様に、複数の情報によって構成されている。ただし、この例では、抑揚情報は、表示しないようにしているため、抑揚情報には、表示に関する情報は含まれない。もちろん、ビブラート情報と同様に、表情付け情報の種類（「抑揚」）、抑揚を付加するときに必要な各種表情付けパラメータとその値（「変化方向」や「変化音量」）は、抑揚情報にも含まれている。
【００２２】
なお、楽曲データのフォーマットは、以上のようなフォーマットに限られないことはいうまでもない。要するに、音符と表情付け情報とが対応付けられ、認識可能であれば、どのようなものを採用してもよい。
【００２３】
図２の楽曲データを楽譜表示すると、図３に示すように表示される。楽譜上には、カーソルＣも表示され、ユーザが、前記マウスを用いてカーソルＣを音符３１に合わせ、その位置で右ボタンをクリックすると、その近傍に動作メニュー（図示せず）が表示される。この動作メニューから「表情付けパラメータ設定変更」を選択すると、図４（ａ）のような、表示されている表情付け情報、すなわち「ビブラート」に関する表情付けパラメータ設定画面が表示される。
【００２４】
ここで、「ビブラート」に関する表情付けパラメータとしては、ピッチベンドの波の速さを示す「周期」パラメータと、ピッチベンドの波の振幅を示す「深さ」パラメータを設定（変更）できるようになっている。そして、これらのパラメータを設定（変更）後、「ＯＫ」ボタンにカーソルを合わせ、マウスの左ボタンをクリックする（以下、「『ＯＫ』ボタンを押す」と表現する）と、設定（変更）後のパラメータ値によって、音符３１に対応する音符イベントデータ２２３内の当該パラメータの値が設定（更新）される。他方、「キャンセル」ボタンを押すと、表情付けパラメータ設定画面上で、パラメータの値が変更されたとしても、音符イベントデータ２２３内の当該パラメータは設定（更新）前の値が維持される。
【００２５】
さらに、図４（ａ）の設定画面中、“▼”にカーソル（図示せず）を合わせ、左ボタンをクリックすると、ドロップダウンリストが表示される。このドロップダウンリストには、他の表情付け情報（本実施の形態では、「抑揚」のみ）が記載してあるので、その中から「抑揚」を選択すると、図４（ｂ）のような、表示されていない表情付け情報、すなわち「抑揚」に関する表情付けパラメータ設定画面が表示される。
【００２６】
ここで、「抑揚」に関する表情付けパラメータとしては、音量を変化する方向（「上げる」または「下げる」）を示す「変化方向」パラメータと、現在の音量を増減させるベロシティ値を示す「変化音量」パラメータを設定（変更）できるようになっている。そして、これらのパラメータを設定（変更）後、「ＯＫ」ボタンを押すと、設定（変更）後のパラメータ値によって、音符３１に対応する音符イベントデータ２２３内の当該パラメータの値が設定（更新）される。他方、「キャンセル」ボタンを押すと、表情付けパラメータ設定画面上で、パラメータの値が変更されたとしても、音符イベントデータ２２３内の当該パラメータは設定（更新）前の値が維持される。
【００２７】
このように、本実施の形態では、楽譜上の目的の音符にカーソルを合わせて、右ボタンをクリックすると、表情付けパラメータ設定画面が表示され、その設定画面から、表情付け種類を選択するだけで、表示されていない表情付け情報に関する表情付けパラメータ設定画面が表示され、その設定画面から表情付けパラメータを任意に変更することができる。
【００２８】
以下、以上のように構成された表情付けパラメータ編集装置が実行する制御処理を、図５および図６を参照して詳細に説明する。
【００２９】
図５および図６は、本実施の形態の表情付けパラメータ編集装置、特にＣＰＵ３が実行するパラメータ設定変更処理の手順を示すフローチャートである。
【００３０】
本パラメータ設定変更処理では、ユーザによって選択された表情付き楽曲データに基づいて、たとえば図３のように楽譜を表示した後、ユーザの操作指示に応じて、次の処理を行う。すなわち、
（１）ユーザが楽譜上の音楽記号を対象にして、表情付けパラメータの設定変更処理を開始したときの音楽記号に関する表情付けパラメータ編集処理
（２）ユーザが楽譜上の音符を対象にして、表情付けパラメータの設定変更処理を開始したときの音符に関する表情付けパラメータ編集処理
である。
【００３１】
そして、（２）の音符に関する表情付けパラメータ編集処理は、（ａ）その音符に表情付け情報が付与されていないときの処理、（ｂ）その音符に１種類の表情付け情報が付与されているときの処理、および（ｃ）その音符に複数種類の表情付け情報が付与されているときの処理によって構成されている。
【００３２】
まず、楽譜表示処理、次に、上記（１），（２）（ａ）〜（ｃ）の各処理という順序で説明する。
【００３３】
ユーザが、複数の表情付き楽曲データから好みの楽曲データを１つ選択すると、その楽曲データが、たとえば前記ＲＡＭ５の所定位置に確保された楽曲データ格納領域（図示せず）に格納される（ステップＳ１）。前述のように、前記外部記憶装置６には、表情付き楽曲データが各種記憶されているので、ユーザはその中から好みのものを選択すればよい。もちろん、表情付き楽曲データの選択方法は、これに限らず、通信ネットワーク上のサーバコンピュータに記憶されているものを、前記通信Ｉ／Ｆ８を介してダウンロードする方法等、どのような方法を用いてもよい。
【００３４】
本実施の形態では、ステップＳ１で選択される楽曲データは、その中の少なくとも１つの音符データに、複数種類の表情付け情報が予め付加されているものと仮定したが、これに限らず、楽曲データとして、表情付け情報が付加されていないものを選択し、装置に予め備えられている編集機能または表情付け機能を実行することにより、楽曲データを選択後、その楽曲データに複数種類の表情付け情報を付加し、この楽曲データを選択するようにしてもよい。
【００３５】
次に、ＲＡＭ５に格納された複数の表情付き楽曲データに基づいて、前記表示装置７上に楽譜表示する（ステップＳ２）。これにより、たとえば図３のような楽譜が表示される。
【００３６】
以上が、楽譜表示処理であり、この楽譜表示処理によって表示された楽譜上で、ユーザが表情付けパラメータ設定変更開始動作を行うと、その動作の態様に応じて、上記（１）音楽記号に関する表情付けパラメータ編集処理、または（２）音符に関する表情付けパラメータ編集処理に移行する。ここで、表情付けパラメータ設定変更開始動作の例としては、具体的には、楽譜上の音楽記号または音符にカーソルを合わせ、マウスの右ボタンをクリックすると、動作メニューが表示され、その中から「表情付けパラメータ設定変更」を選択するという動作が考えられる。そして、音楽記号にカーソルを合わせて、動作メニューから「表情付けパラメータ設定変更」を選択すると、（１）音楽記号に関する表情付けパラメータ編集処理に移行し、音符にカーソルを合わせて、動作メニューから「表情付けパラメータ設定変更」を選択すると、（２）音符に関する表情付けパラメータ編集処理に移行する。
【００３７】
（１）音楽記号に関する表情付けパラメータ編集処理では、まず、選択された音楽記号に応じた表情付けパラメータ設定画面を表示する（図６のステップＳ１７）。たとえば、図３の楽譜表示で、ビブラートの音楽記号“Ｖｉｂ．”３２が選択された場合、図４（ａ）の表情付けパラメータ設定画面で、「表情付け種類」欄が「ビブラート」に固定され、他の表情付け種類を選択できない状態（“▼”を表示しないようにしたり、“▼”をグレースケールで表示して、“▼”をクリックできないようにしたりする表示態様が考えられる）のものが表示される。なお、図４（ａ）は、実際には、上記（２）（ｃ）の処理で表示する表情付けパラメータ設定画面の一例を示すものであり、上記ステップＳ１７の処理の説明に、図４（ａ）の表情付けパラメータ設定画面を利用したのは、説明の便宜上、そうしたに過ぎず、他のデザインの表情付けパラメータ設定画面を表示するようにしてもよい。ただし、この場合でも、他の表情付け種類を選択できないものであることは言うまでもない。
【００３８】
次に、表情付けパラメータ設定画面内でのユーザによるパラメータ編集作業および操作を受け付け（ステップＳ１８）、「ＯＫ」ボタンが押されると、表情付けパラメータ設定画面が表示されてから今（つまり、「ＯＫ」ボタンが押されたとき）までの各設定値を、選択された音楽記号に対応する音符イベントにセットした（ステップＳ１９→Ｓ２０）後、表情付けパラメータ設定画面を閉じ（ステップＳ１５）、該当の音符イベントの演奏用データを必要に応じて作り直す（ステップＳ１６）。一方、「キャンセル」ボタンが押されると、表情付けパラメータ設定画面を閉じる（ステップＳ１９→Ｓ２１→Ｓ１５）。
【００３９】
（２）音符に関する表情付けパラメータ編集処理では、まず、選択された音符に対応する音符イベントに表情付け情報が付加されているかどうかをチェックし、この結果、表情付け情報が付加されていない場合には、前記（２）（ａ）の処理に移行し、単数の表情付け情報が付加されている場合には、前記（２）（ｂ）の処理に移行し、複数の表情付け情報が付加されている場合には、前記（２）（ｃ）の処理に移行する。
【００４０】
（２）（ａ）の処理では、ユーザが表示楽譜上で音楽記号または他の音符を選択するまで待機する（図５のステップＳ５→Ｓ３→Ｓ４）。
【００４１】
（２）（ｂ）の処理では、まず、選択された音符イベントに応じた表情付けパラメータ設定画面を表示する（ステップＳ８）。たとえば、図３の楽譜表示で、音符３１が選択され、音符３１に付加されている表情付け情報が「ビブラート」のみであったとすると、前記（１）音楽記号に関する表情付けパラメータ編集処理と同様に、図４（ａ）の表情付けパラメータ設定画面で、「表情付け種類」欄が「ビブラート」に固定され、他の表情付け種類を選択できない状態のものが表示される。
【００４２】
次に、表情付けパラメータ設定画面内でのユーザによるパラメータ編集作業および操作を受け付け（図６のステップＳ９）、上述のように、この場合、別の「表情付け種類」を選択できないので、ステップＳ１１の処理をスキップし、「ＯＫ」ボタンが押されると、表情付けパラメータ設定画面が表示されてから今（つまり、「ＯＫ」ボタンが押されたとき）までの各設定値を音符イベントにセットした（ステップＳ１０→Ｓ１２→Ｓ１３）後、表情付けパラメータ設定画面を閉じ（ステップＳ１５）、該当の音符イベントの演奏用データを必要に応じて作り直す（ステップＳ１６）。一方、「キャンセル」ボタンが押されると、表情付けパラメータ設定画面を閉じる（ステップＳ１０→Ｓ１２→Ｓ１４→Ｓ１５）。
【００４３】
（２）（ｃ）の処理では、まず、選択された音符イベントに応じた表情付けパラメータ設定画面を表示する（図５のステップＳ７）。たとえば、図３の楽譜表示で、音符３１が選択された場合、この場合、図２を用いて前述したように、音符３１に対応する音符イベントには、「ビブラート」と「抑揚」の２種類の表情付け情報が付加されているので、図４（ａ）の表情付けパラメータ設定画面の「表情付け種類」欄は、“▼”をマウスの左ボタンをクリックすると、付加されているすべての種類の表情付け情報の記載されたリスト形式になり、他の種類の表情付け情報を選択できるようになる。
【００４４】
次に、表情付けパラメータ設定画面内でのユーザによるパラメータ編集作業および操作を受け付ける（図６のステップＳ９）。
【００４５】
なお、別の「表情付け情報」が選択されたときには、選択された表情付け情報の種類に対応して、表情付けパラメータ設定画面内の表示を切り替える（ステップＳ１０→Ｓ１１）。切り替え前の表情付けパラメータ設定画面が、たとえば図４（ａ）の設定画面であるとすると、この切り替えにより、図４（ｂ）の設定画面に切り替えられる。もちろん、図４（ｂ）の設定画面で、別の「表情付け情報」、つまり「ビブラート」が選択されたときには、図４（ａ）の設定画面に切り替えられる。
【００４６】
そして、「ＯＫ」ボタンが押されると、表情付けパラメータ設定画面が表示されてから今（つまり、「ＯＫ」ボタンが押されたとき）までの各設定値を音符イベントにセットした（ステップＳ１２→Ｓ１３）後、表情付けパラメータ設定画面を閉じ（ステップＳ１５）、該当の音符イベントの演奏用データを必要に応じて作り直す（ステップＳ１６）。一方、「キャンセル」ボタンが押されると、表情付けパラメータ設定画面を閉じる（ステップＳ１２→Ｓ１４→Ｓ１５）。
【００４７】
このように、本実施の形態では、楽譜上に音楽記号として表示されていない表情付け情報内の表情付けパラメータについても、楽譜上の操作によって、簡単にその種類および値を編集することができる。
【００４８】
なお、本実施の形態では、パラメータ編集対象の表情付け情報の種類をドロップダウンリストから選択し、選択する度に、表情付けパラメータ設定画面内のパラメータ種類および設定値をともに切り替えて表示するようにしたが、これに限らず、たとえば、表情付け情報の種類をタブに割り当て、他のタブが指示される度に、表情付けパラメータ設定画面をページ切り替えして表示するようにしてもよい。また、同一設定画面内に制御可能な全種類の表情付け情報とそのパラメータを配置し、現在対象となっている音符に付加されている表情付け情報についてのみ、ユーザが選択できるように（たとえば、選択できないものはグレースケールで表示するなど）してもよい。さらに、音符を選択した時点で、装置上に設けられた複数のボタン（図示せず）に、その音符に付加されている各表情付け情報を割り当てるようにし、ユーザが複数のボタンのいずれかを選択すると、対応する表情付け情報に関する表情付けパラメータ設定画面が開くようにしてもよい。また、音符を選択した時点でまず、その音符に付加されている表情付け情報がリスト表示され、そのリスト中からいずれかを選択できるようにしてもよい。
【００４９】
なお、本実施の形態では、音符を１つずつ指定し、その音符に付加されている複数の表情付け情報のいずれかを選択するようにしたが、これに限らず、複数の音符に対して、または表示楽譜上のある範囲に含まれる全ての音符に対して、表情付け情報のパラメータ編集を行うようにしてもよい。具体的には、たとえば、複数の音符を選択し、表情付け情報のパラメータ編集画面を表示させた場合、選択された音符全てに共通に付加されている表情付け情報を選択可能に構成し、パラメータの編集を行うと、選択された全ての音符データに編集内容を反映するようにしてもよい。または、選択された複数の音符に付加されている全種類の表情付け情報を選択可能に構成し、その中のある表情付け情報についてパラメータの編集を行うと、選択されている音符の中で、その表情付け情報が付加されている全ての音符データに編集内容を反映するようにしてもよい。
【００５０】
なお、上述した実施の形態の機能を実現するソフトウェアのプログラムコードを記録した記憶媒体を、システムまたは装置に供給し、そのシステムまたは装置のコンピュータ（またはＣＰＵ３やＭＰＵ）が記憶媒体に格納されたプログラムコードを読出し実行することによっても、本発明の目的が達成されることは言うまでもない。
【００５１】
この場合、記憶媒体から読出されたプログラムコード自体が本発明の新規な機能を実現することになり、そのプログラムコードを記憶した記憶媒体は本発明を構成することになる。
【００５２】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００５３】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００５４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ３などが実際の処理の一部または全部を行い、その処理によって上述した実施の形態の機能が実現される場合も含まれることは言うまでもない。
【００５５】
【発明の効果】
以上説明したように、請求項１または２に記載の発明によれば、指示手段によって指示された、表示楽譜上の音符データに複数種類の表情付け情報が付与されているときには、該複数種類の表情付け情報のいずれをも、当該表情付け情報の表示態様に拘わらず、選択できる状態にされ、ユーザによっていずれかの表情付け情報が選択されると、該選択された表情付け情報に関する各種パラメータを編集可能な画面が表示手段に表示されるので、音楽記号として楽譜上に表示されていない表情付け種類の表情付けパラメータについても、楽譜上の操作によって、簡単にその種類や値を変更することが可能となる。
【図面の簡単な説明】
【図１】本発明の一実施の形態に係る表情付けパラメータ編集装置の概略構成を示すブロック図である。
【図２】図１の表情付けパラメータ編集装置で使用される楽曲データのフォーマットの一例を示す図である。
【図３】図２の楽曲データを楽譜表示したときの表示例を示す図である。
【図４】表情付けパラメータ設定画面の一例を示す図である。
【図５】図１の表情付けパラメータ編集装置、特にＣＰＵが実行するパラメータ設定変更処理の手順を示すフローチャートである。
【図６】図５のパラメータ設定変更処理の続きの手順を示すフローチャートである。
【符号の説明】
１　操作子群，２　検出回路，３　ＣＰＵ，４　ＲＯＭ，５　ＲＡＭ，６　外部記憶装置，７　表示装置，８　通信インターフェース，９　音源回路，１０　効果回路，１１　サウンドシステム
【図１】
2004109745.tif 000003
【図２】
2004109745.tif 000004
【図３】
2004109745.tif 000005
【図４】
2004109745.tif 000006
【図５】
2004109745.tif 000007
【図６】
2004109745.tif 000008